(57)【要約】【課題】    ルアーフィッシングという分野において、複数のルアーを大きさの限られた収納ボックスに詰め込み持ち歩くことが常である。この時にどうしても防げないのがルアー同士のフックの絡みであり、その絡みを最小限に防ぐのがフックカバーの役割。しかしこのフックカバーも脱着の際には片手でのルアーの保持と、もう片手でのフックカバーを指先で摘まんで外すという行為から必ず両手を使用していた。その時の釣り竿は脇に挟んだり、地面や壁に立てかけたりと、非常に不安定な状態であり、釣り竿の破損等のトラブルの原因にもなり得た。【解決手段】  従来のフックカバーとは別にレール部を設けることにより、そのレール部を手で保持することなく、身の回り、任意の場所に固定することにより片手はフリーにでき、よって、釣り竿は手で安全に保持した状態でのフックカバーの脱着が可能となる。【選択図】  図５
2019213468.tif 000002
【特許請求の範囲】
【請求項１】
疑似餌に1乃至複数の針を装着し、フックカバーを付したルアー装置において、フックカバーの下端部に突起部と平面部を形成するとともに、このフックカバーに設けた平面部を箱型取外し装置の溝内に挿入可能としたことを特徴とするフックカバー取外し装置。
【請求項２】
溝を有する箱型フックカバー取外し装置の底面をフィッシンググローブ等に固定できるようにしたことを特徴とする請求項1記載のフックカバー取外し装置。
【請求項３】
箱型フックカバー取外し装置の箱内にはフックカバーの移動により撓む板バネを配置したことを特徴とする請求項1又は請求項2記載のフックカバー取外し装置。
【発明の詳細な説明】
【技術分野】
【０００１】
本発明は、ルアーフィッシングにて主に使用するトリプルフック(三本針)のフックカバーに関するものである。        
【背景技術】
【０００２】
一般的にルアーフィッシングで用いられているルアーには独特のトリプルフック(三本針) が装着されていて、収納ボックスに複数個のルアーを入れているため、トリプルフック同士が絡み合いルアー交換の際にスムーズな交換作業を妨げることとなる。これを防止する目的から既存のフックカバー実開昭６０−６８９８２号公報のように１２０度の角度で放射状３方向に設けたトリプルフックを覆う形の袋状になった樹脂製カバーがトリプルフック部分をカバーするもの、また、カバー単独で使用する実開昭６０−６８９８２号公報に対し、これに連結棒を通したことで取外しの際の効率アップと安全性を高めた特開平９−２９４５０９号公報のようなもの、その他、特開平９−１３１１５２号公報のように針先だけをカバーするものなどがみられる。
【先行技術文献】
【特許文献】
【０００３】
【特許文献１】実開昭６０−６８９８２号公報
【特許文献２】特開平９−２９４５０９号公報
【特許文献３】特開平９−１３１１５２号公報
【発明の概要】
【発明が解決しようとする課題】
【０００４】
ルアーフィッシングという分野において、複数個のルアーを限られた大きさの収納ボックスに詰め込み持ち歩くことが常である。この時、ルアー特有の針先が３つに分かれた特有のトリプルフック(三本針)が１個のルアー本体に対して１〜３箇所程度セットしてあり、それらが収納ボックス内で複数個のルアーと絡み合うことで、ルアー交換の際に使用したいルアーをスピーディーに取り出すことが出来ない現象が起こる。
【０００５】
この時の非常にストレスの溜まり、時には針先で指先等を傷つけてしまう危険性さえ伴う。このような深刻なトラブルを防ぐために発明されたのが既存のフックカバー特許文献実開昭６０−６８９８２号公報である。  
【０００６】
しかしながら、既存のフックカバーではルアー交換の際に、片手でルアーを保持し、もう片手でフックカバーを指先でつかみカバーをトリプルフックから抜き取り外すという作業に両手での着脱が強いられ、その時の脱着に必要とする指先の力は大きく、時としてフックの鋭利な針先による重篤な怪我も懸念される。
【０００７】
また、その際には釣り竿は脇に挟んで保持するか、地面に立て置く事が必要となり、いずれにしても釣り竿にとっては不安定な状態になり、最悪の場合釣り竿の破損を招く恐れさえあり得る。
【０００８】
そのように実際のフィールドで釣りをしながら両手をルアー交換の為にのみ使用することは危険以外に無駄な手間であり、それらを極力なくし、ルアーの交換作業を片手で安全かつ迅速に行なうために発明したものが当発明、フックカバー取外し装置である。
【課題を解決するための手段】
【０００９】
既存のフックカバー実開昭６０−６８９８２号公報に対して、既存フックカバーの下端部に突起部を設けこれを図2発明フックカバーとする。
【００１０】
これに対応するパーツとして本発明の図3箱型取外し装置を新たなパーツとして設け、図２発明フックカバーと図３箱型取外し装置はセットで使用することで片手での図２発明フックカバー脱着が可能となる。
【００１１】
図２発明フックカバーをこれまでと同様に３トリプルフックに装着し、箱型取外し装置はルアー収納ボックス等に固定、または図６のようにフィッシンググローブの甲のあたりに装着等して使用。
【００１２】
ルアー交換の為に図２発明フックカバーを取り外す場合、図３箱型取外し装置の１０溝部分に４発明フックカバーの７突起部を１０溝部分に沿うようにはめ込み引っ掛けて、片手で保持したルアー本体を箱型取外し装置から離れる方向に引っ張れば直接４発明フックカバーを指先で摘まむことなく片手で安全にフックカバーの取り外しができる。
【発明の効果】
【００１３】
ルアーフィッシングに欠かせないルアー交換という工程、これまでは釣り竿を脇に挟むなどして両手を使用してしか行えなかったことを、当発明フックカバーを使用することにより片手で素早く安全に行えるようになる。
【図面の簡単な説明】
【００１４】
【図１】従来のカバー本体を２ルアーにセットした時の装着図である。
【図２】発明フックカバー図である。
【図３】発明箱型取外し装置である。
【図４】発明フックカバーを発明箱型取外し装置のレール部に挿入した時の装着図である。
【図５】発明フックカバー本体をルアーにセットし、発明箱型取外し装置レール部に挿入した時の断面図である。
【図６】発明フックカバー装着と発明箱型取外し装置の使用例…発明フックカバーの特徴を生かすため発明レール部をフィッシンググローブ甲部等に固定した時の使用例図である。
【発明を実施するための形態】
【００１５】
以下図面(図１〜図６）に基づいて詳細に説明する。
【実施例１】
【００１６】
既存のトリプルフックカバー１場合、ルアー本体２セットされたトリプルフックを覆っているトリプルフックカバー1を取り外すには、片手でルアー本体２掴み、もう片手でルアー本体２セットされているトリプルフック３、トリプルフックカバー1越しに掴む、または、実開昭６０−６８９８２号公報第1図６示す指掛け部を掴み力を込めて引き抜く必要があった。
【００１７】
この場合、実開昭６０−６８９８２号第１図６指掛け部はトリプルフックフック３中心軸より偏差して設けてあるため、引き抜く際にその力がカバーを引き抜く方向ではなく、１図５口部を広げる方向に作用して力のロスとなり、より大きな力が必要となる。
【００１８】
当発明では既存のトリプルフックカバー1に対し、図２の４明フックカバーの５下端部中心より６心軸部を伸ばし、その先端に７起部と８面部を設け、それを図３の９型取外し装置に設けた１０レール溝部に挿入した後に４発明フックカバーと９箱型取外し装置を逆方向、つまり引き離す向きに引っ張ることにより力のロスなく確実簡単に４発明フックカバーの脱着が可能となる。
【００１９】
この時、９発明箱型取外し装置に設けた１０レール溝部の溝幅に対して、４発明フックカバーの５下端部中心より伸びた６中心軸部は溝幅より細く、容易に１０レール溝部に挿入でき、かつ、８平面部と９箱型取外し装置の１１内面は程よく接触しつつ１０レール溝部の溝幅より幅広な7突起部が引っかかりとなって４発明フックカバーは９発明箱型取外し装置に設けられた１０レール溝部を溝の範囲内で抜け落ちることなく可動できる。
【００２０】
図５の様に２ルアーにセットされた３トリプルフックに４発明フックカバーを装着して、９箱型取外し装置の10レール溝部に４発明フックカバーの６中心軸を沿うように、図５の様に挿入する。
【００２１】
図５の９箱型取外し装置の断面図に記した１２板バネは特性として穏やかな撓みを持ち、図に示す９箱型取外し装置の１３挿入口側から１４取外し口側に向けて傾斜させて取付けてある。
【００２２】
９箱型取外し装置の１３挿入口側から挿入された４発明フックカバーは７突起部が１２板バネに当たるが、少しの力を込めて装着方向に押込むことで１２板バネの適度な撓みの効果で１２板バネを押し下げて9箱型取外し装置の中心部、２つの１２板バネの間に可動範囲を制限され収まることとなる。
【００２３】
無負荷の状態では9箱型取外し装置に挿入された４発明フックカバーは７突起部が１２板バネに引っかかるために９箱型取外し装置の１０レール溝部から脱落することはない。
【００２４】
この、４発明フックカバーが９箱型取外し装置の内側に設けられた２つの１２バネの間に収まっている状態が、４発明フックカバーから２ルアーを取り外せる状態である。
【００２５】
ルアー交換を実施する際には、９箱型取外し装置の１０レール溝部に挿入されて保持されている４発明フックカバーに２ルアーの３トリプルフックをはめ込み針先を安全に保護した状態から、２ルアーを９箱型取外し装置の１２取り出し口側にスライドさせる。
【００２６】
２ルアーを１２取り出し口方向にスライドさせることにより、２ルアーに装着した４発明フックカバーの７突起部が、９箱型取外し装置内部の１２板バネに干渉し撓ませることにより、２ルアーを安全に９箱型取外し装置より外すことが出来る。
【００２７】
当発明の図２発明フックカバーと図3箱型取外し装置のは各々を組み合わせての使用が重要で、実際の使用にあたっては、図６の様に１５フィッシンググローブ甲部分、またはルアー収納ケース、釣り竿のグリップ部分等に縫付け、接着、またはマジックテープ（登録商標）等により身の回りに図３箱型取外し装置を固定することにより図2発明フックカバーの片手での脱着が可能となる。
【００２８】
実際に様々な自然環境下でのフィールドで釣りをしながら両手をルアー交換の為にのみ使用することは非常に無駄な手間であり、時として危険を伴うものである。
【００２９】
その観点から、片手で釣り竿を安全に保持しつつ、もう片手でルアー本体を掴み、フックカバーを少ない力で確実に脱着できる当発明のメリットは大きい。
【００３０】
当発明では図４のように、図２フックカバー部と図３新規レール部の組み合わせで使用することとなるが、単に図２を図３に挿入するだけでは実際の使用に際し、１０レール溝内での移動に制限がなく、溝からフックカバーが外れて脱落してしまう。それを防ぐために下記の実施例を設ける。
【００３１】
板バネ式フックカバー脱落防止装置
図３レール内に１２のような形で緩やかな撓みを持つ板バネを設けることにより図２フックカバーの７突起部が１２板バネに引っかかる事により方向と移動範囲の制限を与えられ、同時に脱着時の方向が指定されることとなる。
【００３２】
そのため、一旦、図２フックカバーを１０レール溝部に装着してしまえば図２フックカバーの７突起部が板バネに引っかかる抵抗で意図的に力を込めてフックカバーを移動させない限り、図２フックカバーが不意に１０レール溝部から脱落することを防ぐこととなる。
【符号の説明】
【００３３】
１    既存フックカバー
２    ルアー
３    トリプルフック
４    発明フックカバー
５    フックカバー下端部
６    中心軸部
７    突起部
８    平面部
９    箱型取外し装置
１０  レール溝部
１１  箱型取外し装置内面
１２  板バネ
１３  挿入口
１４  取外し口
１５  フィッシンググローブ
１６  釣り竿      
【図１】
2019213468.tif 000003
【図２】
2019213468.tif 000004
【図３】
2019213468.tif 000005
【図４】
2019213468.tif 000006
【図５】
2019213468.tif 000007
【図６】
2019213468.tif 000008